(57)【要約】【構成】複合機２の排出トレー８，１４に用紙センサ３０，３１を設けると共に、バイオメトリクスセンサ２５〜２７を設けて、バイオメトリクスデータを入力した後に用紙を持ち出すようにする。そしてバイオメトリクスデータを変換表４０でユーザＩＤ等に変換し、用紙の持ち出しリスト４４を作成する。【効果】多数のユーザで複合機を共有する場合に、人の用紙を誤って持ち去ることを防止できる。【選択図】    図１
2004352429.tif 000002
【特許請求の範囲】
【請求項１】
ハードコピー機能を備えた文書処理装置において、
プリントした用紙の持ち出しを検出するセンサを排出トレーに設けると共に、ユーザのバイオメトリクスデータを入力する手段と、入力されたバイオメトリクスデータをユーザを特定する情報に変換する手段とを設けて、
プリント用紙を排出トレーから持ち出す際に入力されたバイオメトリクスデータを、ユーザを特定する情報に変換して、用紙の持ち出し実績として記憶する、ようにしたことを特徴とする文書処理装置。
【請求項２】
バイオメトリクスデータを入力せずに、前記用紙が排出トレーから持ち出されることを検出した際にアラームする、アラーム手段を設けたことを特徴とする、請求項１の文書処理装置。
【請求項３】
プリント実績を記憶して、前記用紙の持ち出し実績と対照可能に文書処理装置の表示部に表示するようにしたことを特徴とする、請求項１または２の文書処理装置。
【請求項４】
原稿排出トレーにも原稿の持ち出しを監視するセンサを設けて、原稿をセットあるいは持ち出す際に入力された、ユーザのバイオメトリクスデータをユーザを特定する情報に変換し、原稿の持ち出し実績をユーザを特定する情報と共に記憶するようにしたことを特徴とする、請求項１〜３のいずれかの文書処理装置。
【請求項５】
ハードコピー機能を備えた文書処理装置用のプログラムにおいて、
プリントした用紙の持ち出しの検出信号を受け付けるための命令と、
プリント用紙を排出トレーから持ち出す際に入力されたバイオメトリクスデータを、ユーザを特定する情報に変換して、用紙の持ち出し実績として記憶するための命令とを設けたことを特徴とする文書処理装置用のプログラム。
【請求項６】
バイオメトリクスデータを入力せずに、排出トレーから用紙が持ち出されることを監視するための命令を設けたことを特徴とする、請求項５の文書処理装置用のプログラム。
【発明の詳細な説明】
【０００１】
【発明の利用分野】
この発明は、ファクシミリ装置、コピー機、プリンタ文書などの処理装置と、そのプログラムに関する。
【０００２】
【従来技術】
【０００３】
【特許文献１】特開２００３−２３４２２号公報
特許文献１はバイオメトリクスデータを用いた本人認証について説明している。そしてバイオメトリクスデータによる認証を、ファクシミリ装置、コピー機、プリンタなどの文書処理装置に適用することも考えられる。
【０００４】
ところで文書処理装置は複数のユーザで共用するのが普通で、このような場合、最初のユーザがプリントした用紙と次のユーザがプリントした用紙とが入り交じり、他人がプリントした用紙を誤って持ち出すことがある。そして文書処理装置がコピー、ファクシミリ、プリンタなどの機能を複合化するに連れて、このような問題が著しくなっている。
【０００５】
【発明の課題】
この発明の課題は、プリントした用紙の持ち出し状況を管理できるようにして、プリントした用紙の紛失を防止することにある（請求項１〜６）。
請求項２，６の発明での追加の課題は、プリントした用紙の持ち出し状況をより確実に管理できるようにすることにある。
請求項３の発明での追加の課題は、どのジョブのプリント用紙がどのユーザに持ち出されたのかを、容易に把握できるようにすることにある。
請求項４の発明での追加の課題は、原稿用紙の持ち出し状況も管理できるようにすることにある。
【０００６】
【発明の構成】
この発明の文書処理装置は、ハードコピー機能を備えた文書処理装置において、プリントした用紙の持ち出しを検出するセンサを排出トレーに設けると共に、ユーザのバイオメトリクスデータを入力する手段と、入力されたバイオメトリクスデータをユーザを特定する情報に変換する手段とを設けて、プリント用紙を排出トレーから持ち出す際に入力されたバイオメトリクスデータを、ユーザを特定する情報に変換して、用紙の持ち出し実績として記憶するようにしたことを特徴とする（請求項１）。なおこの明細書において、プリントしたとは、文書処理装置をクライアントに対するプリントサーバとして機能させて、プリントデータをプリントしたとの意味ではなく、コピーやファクシミリ、プリンタなどとして動作させる過程で、画像を用紙にハードコピーしたとの意味である。
【０００７】
好ましくは、バイオメトリクスデータを入力せずに、前記用紙が排出トレーから持ち出されることを検出した際にアラームする、アラーム手段を設ける（請求項２）。
【０００８】
また好ましくは、プリント実績を記憶して、前記用紙の持ち出し実績と対照可能に文書処理装置の表示部に表示する（請求項３）。
【０００９】
好ましくは、原稿排出トレーにも原稿の持ち出しを監視するセンサを設けて、原稿をセットあるいは持ち出す際に入力された、ユーザのバイオメトリクスデータをユーザを特定する情報に変換し、原稿の持ち出し実績をユーザを特定する情報と共に記憶する（請求項４）。
【００１０】
この発明の文書処理装置用のプログラムは、ハードコピー機能を備えた文書処理装置用のプログラムにおいて、プリントした用紙の持ち出しの検出信号を受け付けるための命令と、プリント用紙を排出トレーから持ち出す際に入力されたバイオメトリクスデータを、ユーザを特定する情報に変換して、用紙の持ち出し実績として記憶するための命令とを設けたことを特徴とする（請求項５）。
【００１１】
好ましくは、バイオメトリクスデータを入力せずに、排出トレーから用紙が持ち出されることを監視するための命令を設ける（請求項６）。
【００１２】
【発明の作用と効果】
この発明の文書処理装置やそのプログラムでは、排出トレーからのプリント済みの用紙の持ち出し状況を監視すると共に、プリント済み用紙の持ち出し時に、ユーザにバイオメトリクスデータを入力させて、これをユーザを特定する情報に変換し、用紙の持ち出し実績として記憶する。このためプリントした用紙がないなどのトラブルが生じた場合に、他人がプリントした用紙を持ち出したユーザを絞り込むことができ、プリントした用紙が他のユーザに持ち出されて紛失することを防止できる。さらにこの発明では、プリントした用紙を持ち出す場合、バイオメトリクスデータを入力すれば良く、一々ユーザＩＤやパスワードなどを入力する必要がないので簡便である（請求項１，５）。
【００１３】
好ましくは、バイオメトリクスデータを入力せずに排出トレーから用紙が持ち出された際にアラームするようにして、確実にバイオメトリクスデータを入力させるようにする（請求項２，６）。
【００１４】
また好ましくは、プリント実績を記憶し、用紙の持ち出し実績と対照可能に表示する。このようにすると、誰がどのプリント済み用紙を持ち出したのかを容易に確認することができる（請求項３）。
【００１５】
プリント済み用紙の排出トレーの他に、原稿排出トレーにも同様に原稿の持ち出しを監視するセンサを設けると、誤って他人の原稿を持ち出すことを防止できる（請求項４）。
【００１６】
【実施例】
図１〜図４に実施例を示す。これらの図において、２は複合機で、コピー，ファクシミリ，プリント，スキャナの４機能を複合化したものなどとする。４は複合機本体で、プリント部や、Ｇ３ファクシミリ通信のための公衆電話回線網との接続部、並びにＬＡＮとの接続部などを備えている。６は操作読取部で、原稿画像の読み取りを行い、ユーザの操作入力を受け付ける。８はプリント用紙の排出トレーで、プリントした用紙は排出トレー８に排出される。１０は原稿台で、ＦＢＳ（フラットベッドスキャナ）を備えている。１２はＡＤＦ（自動原稿供給装置）で、原稿台からの原稿を１枚ずつ紙送りして読み取り、１４は原稿排出トレーである。１６は操作パネルで、タッチパネル１８やスタートキー２０並びに他のキー２２などが配置されている。
【００１７】
複合機２はＬＡＮなどを介して、パーソナルコンピュータなどからなるクライアント２４に接続されて、ネットワークプリンタなどとして動作し、またメールサーバやルータなどを介してインターネットファクシミリの送受信などを行う。操作パネル１６の主なキーを兼用するように、例えばタッチパネル１８やスタートキー２０を兼用するように、バイオメトリクスセンサ２５を設ける。このようにして、タッチパネル１８やスタートキー２０にユーザが指でタッチした際に、そのバイオメトリクスデータを読み取る。これ以外に例えば排出トレー８，１４にもバイオメトリクスセンサ２６，２７を設け、プリントした用紙や原稿を持ち出す際に、バイオメトリクスデータを入力できるようにする。実施例ではバイオメトリクスセンサとして指紋センサを用い、ＣＣＤカメラなどにより指先の指紋のパターンを読み取るようにする。これ以外にバイオメトリクスセンサ２５〜２７は、指先の毛細血管のパターンや汗腺のパターンなどのセンサ、あるいは指先から加わる圧力の分布とその時間変化のパターンを求めるためのセンサなどとする。バイオメトリクスセンサとしてはこれ以外に、虹彩や顔の画像を読み取るセンサなどでもよい。
【００１８】
トレー８，１４には用紙センサ３０，３１を設ける。これらのセンサ３０，３１は、例えばトレー上の紙の重さを測定するセンサ、あるいはトレー８，１４上に人の手が差し込まれたことを検出するセンサ、トレー８，１４から持ち出される途中でトレーから浮いている紙を検出するセンサなどとする。好ましくはセンサ３０，３１はトレー８，１４上の紙の重さを測定するセンサとし、例えばトレー上の紙の枚数が多数枚有るか、少数枚か、０枚かを検出できるようにし、センサ３０，３１の信号の変化から、トレー８，１４上の用紙が全数持ち出された、または一部持ち出された、の２つの状態を区別して検出できるようにする。３２はアラーム部で、バイオメトリクスデータを入力せずに、トレー８，１４から紙を持ち出したことを検出すると、音声などで「バイオメトリクスデータを入力して下さい」のようにアラームし、ユーザがバイオメトリクスデータをセンサ２５〜２７から入力するように促す。
【００１９】
３４は適宜の記憶媒体で、用紙の持ち出し監視用のプログラムを記憶し、プログラムメモリ３５にそのプログラムを記憶させる。４０は変換表で、センサ２５〜２７から入力されたバイオメトリクスデータＢ１〜Ｂ３を、ユーザＩＤやユーザ名などのユーザを特定する情報に変換する。４２はバッファで、センサ３０，３１からの用紙の持ち出し信号Ｓ１，Ｓ２を記憶し、条件・分岐部４３は、バイオメトリクスデータが入力されずに原稿の持ち出しが行われた場合、無断持ち出しとしてアラーム部３２にアラームさせる。そしてバイオメトリクスデータが入力されて用紙が持ち出されると、持ち出しリスト４４に用紙を持ち出した時刻と、ユーザ名やユーザＩＤ、全数持ち出しか、一部持ち出しかの区別、並びに排出トレー８か、排出トレー１４かの区別が記載される。なおプリント済み用紙の排出トレーが複数有る場合、各トレー毎に用紙の持ち出しを検出するためのセンサを設け、持ち出しリスト４４ではどの排出トレーからの持ち出しかを区別して記憶することが好ましい。
【００２０】
排出リスト４６には、排出トレー８，１４に、原稿やプリント済み用紙を排出した時刻、ユーザ名やユーザＩＤなどのユーザを特定する情報、原稿やプリント済み用紙の枚数などを記憶する。クライアントからユーザがプリントを指示した場合や、インターネットファクシミリの送受信を行った場合、誰の原稿や誰宛のプリント済み用紙であるかが、これらのデータから判明する。これ以外の場合でも、Ｇ３ファクシミリの送信やコピーの都度、ユーザのバイオメトリクスデータを入力するようにすると、誰の原稿や誰のプリント済み用紙であるかを、排出リスト４６に記載できる。ただし実施例では、バイオメトリクスデータを入力せずにコピーやファクシミリの送信などを行うことも認めるものとするが、コピーやファクシミリ送信の都度、バイオメトリクスデータの入力が必要としても良い。そして操作パネル１６の主なキーを兼用するように、バイオメトリクスセンサ２５を設けているので、コピーやファクシミリ送信の都度、自動的にバイオメトリクスデータを読み取ることも容易である。
【００２１】
図２に、実施例での用紙管理プログラム５０の構成を示す。このプログラムには、排出リスト４６を作成するための命令と、持ち出しリスト４４を作成するための命令、並びに用紙センサ３０，３１の信号と、バイオメトリクスデータの入力状況とを照合して、無断持ち出しを監視し、無断持ち出し時にアラームするための監視命令とを備えている。さらにバイオメトリクスデータをユーザＩＤなどのユーザを特定する情報へ変換する変換表の作成命令を備えている。これらの命令の内容は、複合機２の構成や動作での説明に準じたものである。
【００２２】
図３，図４に実施例の動作を示す。排出リスト４６には、排出した用紙の枚数とバイオメトリクスデータから求めたユーザ名やユーザＩＤ、並びに排出した時刻が記載される。原稿を排出したのかプリント済み用紙を排出したのかは、例えば特に記載が無い場合はプリント済み用紙を排出したものとし、原稿を排出した場合は「原稿台」などとしてその旨を記載する。
【００２３】
持ち出しリスト４４には、どのユーザがどの時刻に、排出トレーあるいは原稿台から用紙を、持ち出したかを記載する。用紙センサでは用紙の枚数を正確にカウントすることが困難なので、例えば用紙を全枚数ち出したのか、一部持ち出したのかを記載する。そこで例えば図３の場合、上から３番目の欄に記載されているユーザＥが、ＦＡＸ受信した用紙の後半の一部が欠けていることに気付いたとする。ユーザＥの後に排出トレー上の用紙を持ち出したのはユーザＣとユーザＤであり、この２人に問い合わせると、おそらくユーザＣからユーザＥの用紙を返してもらえるはずである。またユーザＥの受信ファクシミリ原稿の内、前半の部分が欠けているとする。ユーザＥの前に排出トレーから用紙を持ち出したのはユーザＡなので、ユーザＡに問い合わせると、返してもらえるはずである。
【００２４】
複合機２で、人の原稿や人のプリント済み用紙を誤って持ち出すのは、ファクシミリ，プリント，コピーなどの作業を別々のユーザに対して同時に行う場合が多い。例えば図３の場合では、ユーザＥのファクシミリ受信作業と、ユーザＣのコピー作業とが同時に行われ、同じ排出トレーに別のユーザの用紙が積み重なってプリントされるのが原因の場合が多い。実施例では、排出トレー上の原稿やプリント済み用紙をどのユーザが何時持ち出したかを記録し、これと同時に何時（どのユーザのために）何枚の原稿を排出したかのリストを作成するので、これらのリストを対照すると紛失した原稿を探すのが容易になる。持ち出しリストと排出リストは例えば複合機の表示部に並べて表示するが、クライアントの表示部に表示しても良い。
【００２５】
図４のフローチャートでは、ステップ１でプリントやファクシミリあるいはコピーすべきデータの発生を待ち、データが発生すると、ユーザＩＤ等や時刻並びに原稿の枚数やプリントした用紙の枚数を求めて排出リストに追加する。ユーザＩＤなどは、コピーやファクシミリ送信の場合、複合機に設けたバイオメトリクスセンサからの入力をユーザＩＤ等に変換すればよい。プリントの場合、クライアントからのプリント指令中のユーザＩＤ等を用いればよい。インターネットファクシミリの受信の場合、その宛先をユーザＩＤやユーザ名とすればよい（ステップ２）。用紙センサで原稿やプリント済み用紙の持ち出しを監視し（ステップ３）、持ち出し時にバイオメトリクスデータが未入力であればアラームして、バイオメトリクスデータの入力を促す（ステップ４，ステップ５）。入力されたバイオメトリクスデータをユーザＩＤ等に変換し（ステップ６）、持ち出しリストにユーザＩＤ等と持ち出し時刻並びに原稿／プリント用紙の種別と、全部持ち出し／一部持ち出しを追加する（ステップ７）。以上のようにして、他人のプリント済み用紙や原稿を誤って持ち出すことを防止する。
【図面の簡単な説明】
【図１】実施例の複合機のブロック図
【図２】実施例での、原稿やプリントした用紙の管理プログラムを示す図
【図３】実施例での、原稿やプリントした用紙の排出リストと、これらの持ち出しリストとを示す図
【図４】実施例での原稿やプリントした用紙の管理アルゴリズムを示すフローチャート
【符号の説明】
２            複合機
４            複合機本体
６            操作読取部
８            プリント用紙の排出トレー
１０          原稿台
１２          ＡＤＦ（自動原稿供給装置）
１４          原稿排出トレー
１６          操作パネル
１８          タッチパネル
２０          スタートキー
２２          他のキー
２４          クライアント
２５〜２７    バイオメトリクスセンサ
３０，３１    用紙センサ
３２          アラーム部
３４          記憶媒体
３５          プログラムメモリ
４０          変換表
４２          バッファ
４３          条件・分岐部
４４          持ち出しリスト
４６          排出リスト
５０          用紙管理プログラム
【図１】
2004352429.tif 000003
【図２】
2004352429.tif 000004
【図３】
2004352429.tif 000005
【図４】
2004352429.tif 000006